(57)【特許請求の範囲】
【請求項１】
表フィルムと裏フィルムとを重ね合わせてこれらの表裏フィルムの両側端縁を熱溶着すると共に表裏フィルムの下端縁から上方に所定間隔を存した下部を全幅に亘って熱溶着することにより上端が開口した袋体を形成し、この袋体の上記下部の熱溶着部から下方に突出する表裏フィルムの突出片のうち、表側突出片に上向きコ字状又はＵ字状の切り込み線を設けてこの切り込み線で囲まれた部分を摘み片に形成してなる食品包装用袋において、上記摘み片の両側に該摘み片を挟むようにして表裏突出片を一体に接続した左右一対の折曲用熱溶着部を上記下部熱溶着部に対して平行に設けていると共に、これらの折曲用熱溶着部の内側端を上記摘み片を形成している切り込み線の左右切り込み端部に連続させた状態に設けてこれらの折曲用熱溶着部間から上記摘み片の少なくとも下端部を下方に突出させていることを特徴とする食品包装用袋。
【請求項２】
摘み片を形成している切り込み線の上端部を左右一対の折曲用熱溶着部から袋体の下部熱溶着部側に向かって上方に突出させていることを特徴とする請求項１に記載の食品包装用袋。
【発明の詳細な説明】
【０００１】
【発明の属する技術分野】
本発明は、摘み片を簡単に且つ確実に把持して開封でき、内部に収納した食品を円滑に取り出すことができるサンドイッチやにぎり飯等の食品の包装に好適な食品包装用袋に関する。
【０００２】
【従来の技術】
今日、コンビニエンスストアー等においてサンドイッチが多数販売されている。そして、このサンドイッチの包装用袋として多数の包装用袋が提供されており、例えば、実公平７−５２０２５号公報には、表フィルムと裏フィルムとの両側縁を熱溶着するとともに、これら表裏フィルムの下端縁側にシール部を形成することにより上端が開口した袋本体を形成し、該袋本体の下端シール部から表裏フィルムを下方にそれぞれ延設させて二枚の突出片を形成するとともに、一方の突出片と他方の突出片とがシールされることにより一体化されて把持用ヘッダーを形成し、この把持用ヘッダーを形成する表側の突出片に摘み片を形成してなるサンドイッチ等食品の包装用袋が提案されている。
【０００３】
そして、上記サンドイッチ等食品の包装用袋では、把持用ヘッダーを一方の指で把持しながら、他方の指で上記把持用ヘッダーに形成した摘み片を擦るようにして摘み片を把持用ヘッダーから分離、起立させ、この起立させた摘み片を袋本体のシール部側に引っ張ることによって開封させるように構成している。
【０００４】
しかしながら、上記の如く、摘み片を指先で擦るようにして該摘み片を把持用ヘッダーから分離、起立させるようにしていることから、指先と摘み片との摩擦力が小さい場合には、摘み片を把持用ヘッダーから容易に分離させることができず使い勝手が悪いといった問題点があった。
【０００５】
その上、摘み片を分離させても指先がこの摘み片の表面にのみ摺接させているにすぎないから、摘み片を新たに２本の指先でもって摘まみ直さなければ、上記サンドイッチ等食品の包装用袋を開封することができない。このような問題点は、把持用ヘッダーの下端縁を裏面側に折曲げることによって表面側に設けた摘み片のみを裏面側のフィルムに対して離間させれば、該摘み片の先端部を簡単に摘むことができるが、上記把持用ヘッダーは全長に亘って同等の柔軟性を有しているために、裏面側に折曲げても摘み片が裏面側フィルムに一体に密着した状態で共に屈曲して摘むことができなくなる場合がある。
【０００６】
【発明が解決しようとする課題】
本発明は、このような問題点に鑑みてなされたもので、摘み片を簡単に且つ確実に起立させて把持することができて円滑に且つ確実に開封作業を行い得る食品包装用袋を提供する。
【０００７】
【課題を解決するための手段】
請求項１に記載の食品包装用袋は、表フィルムと裏フィルムとを重ね合わせてこれらの表裏フィルムの両側端縁を熱溶着すると共に表裏フィルムの下端縁から上方に所定間隔を存した下部を全幅に亘って熱溶着することにより上端が開口した袋体を形成し、この袋体の上記下部の熱溶着部から下方に突出する表裏フィルムの突出片のうち、表側突出片に上向きコ字状又はＵ字状の切り込み線を設けてこの切り込み線で囲まれた部分を摘み片に形成してなる食品包装用袋において、上記摘み片の両側に該摘み片を挟むようにして表裏突出片を一体に接続した左右一対の折曲用熱溶着部を設けていると共に、これらの折曲用熱溶着部の内側端を上記摘み片を形成している切り込み線の左右切り込み端部に連続させた状態に設けてこれらの折曲用熱溶着部間から上記摘み片の少なくとも下端部を下方に突出させていることを特徴とする。
【０００８】
さらに、請求項１に記載の食品包装用袋において、左右一対の折曲用熱溶着部を袋体の下部熱溶着部に平行な直状熱溶着部に形成していることを特徴とする。
【０００９】
請求項２に記載の食品包装用袋は、請求項１に記載の食品包装用袋において、摘み片を形成している切り込み線の上端部を左右一対の折曲用熱溶着部から袋体の下部熱溶着部側に向かって上方に突出させていることを特徴とする。
【００１０】
【作用】
本発明の食品包装用袋の使用要領について説明する。食品包装用袋の袋体内にその上端開口部を通じてサンドイッチや握り飯等の食品を収納し、該袋体の上端開口部を閉止して食品を包装する。
【００１１】
しかして、上記食品包装用袋の袋体内に収納した食品を取り出すには、一方の手で表裏突出片を把持して、該表裏突出片を裏側に向かって折曲げると、該表裏突出片に設けた折曲用熱溶着部に達するまでは何らの抵抗力を受けることなく均一に撓むが、折曲用熱溶着部に達すると、この折曲用熱溶着部の剛性によって抵抗力を受けて、該折曲用熱溶着部の下端を支点として急激に屈折することになる。一方、摘み片は、その両側部を上記折曲用熱溶着部によって挟まれていて、この折曲用熱溶着部から下方に突出する部分が短くなっており、従って、摘み片全長による場合よりも撓みに対する腰が強い。
【００１２】
従って、上記折曲用熱溶着部の下端から下方に向かって突出した上記摘み片の下端部は、上記折曲用熱溶着部の下端を折曲線にして裏側へ折曲げられた表裏突出片に追従することなく、その直状状態を維持し、上記表裏突出片の裏側への折曲げに伴って表側突出片から分離して手前に向かって起立した状態となる。
【００１３】
しかして、このように表側突出片から分離して起立した状態の摘み片の下端部を他方の手の指先で円滑に且つ確実に把持し、該摘み片を上方に向かって引っ張ることによって表フィルムを引き裂いて上記袋体を開封し、該袋体内の食品を上記表フィルムの引き裂き部分を通じて取り出すことができる。
【００１４】
【発明の実施の形態】
本発明の食品包装用袋の一例として、サンドイッチ包装用袋を図面を参照しつつ説明する。食品包装用袋１の表裏フィルム２、３は、図１及び図２に示したように、上下方向に延伸されてなる正面逆截頭二等辺三角形状の一軸延伸フィルムからなる。そして、上記表裏フィルム２、３は、その延伸方向を上下方向に指向させた状態にして重ね合わせられるとともに、これら表裏フィルム２、３の両側傾斜端縁４、４を全長に亘って熱溶着5a、5aしてあり、更に、これらの表裏フィルム２、３の下端縁から上方に所定間隔を存した下部を全幅に亘って帯状に熱溶着5bすることにより、上記熱溶着部5a、5aとこの熱溶着部5bとで囲まれた部分を上端が開口した袋体６が形成されている。なお、上記表フィルム２の上端縁部を上記裏フィルム３の上端縁よりも一定長さだけ上方に突出させた状態としている。
【００１５】
そして、上記袋体６を形成している表裏フィルム２、３の対向内面間によってサンドイッチ（食品）Ａを収納するための食品収納空間部７が形成されており、袋体６の上端開口部を通じて該食品収納空間部７に食品を収納可能に構成している。
【００１６】
又、上記表裏フィルム２、３において、下部熱溶着部5bから下方に突出している正面逆台形状の下部を表裏突出片８、９に形成している。なお、これらの表裏突出片８、９において、上記表側突出片８の下端部を上記裏側突出片９の下端よりも一定長さだけ下方に向かって突出させている。
【００１７】
上記表側突出片８の中央部には、上向きコ字状又はＵ字状の切り込み線81が該表側突出片８の内外面間に亘って貫通した状態に設けられており、該切り込み線81によって囲まれた表側突出片８部を舌状の摘み片10としている。
【００１８】
なお、上記表フィルム２の内面における幅方向の中央上端部と上記摘み片10の内面中央部との間には上下方向に指向する一定幅の帯状体21が一体的に添着されている。又、上記摘み片10の基端部（上端部）と上記下部熱溶着部5bとの間に存在する上記帯状体21の下端部は裏側突出片９との対向面に熱溶着22により一体化されており、上記摘み片10が不用意に捲り上がらないように構成されている。
【００１９】
更に、上記摘み片10の両側方に、この摘み片10を挟むようにして表裏突出片８、９の上下方向の中間部を一体化させている左右一対の帯状の折曲用熱溶着部11、11が設けられている。即ち、上記折曲用熱融着部11、11は、上記切り込み線81の左右切り込み上端部811a、811aと、該左右切り込み上端部811a、811aに対向する表裏突出片８、９の左右傾斜端縁12、12との間に亘って上記袋体６の下部熱溶着部5bに平行状態に設けられてあり、その下端が直状に形成されている。
【００２０】
そして、上記折曲用熱溶着部11、11は、上述したように、対向する表裏突出片８、９部分同士が一体化されて剛直で腰の強い部分に形成されており、これらの折曲用熱溶着部11、11の下端間から上記摘み片10の下端部101 が下方に向かって一定長さだけ突出した状態とされている。
【００２１】
次に、上記食品包装用袋の使用要領を説明する。図３に示したように、上記食品包装用袋の袋体６の食品収納空間部７内にその上端開口部を通じてサンドイッチＡを収納して該食品収納空間部７の上端開口部を閉止する。
【００２２】
しかして、上記食品包装用袋の袋体６の食品収納空間部７内に収納したサンドイッチＡを食するには、食品包装用袋の表裏突出片８、９の下端部を一方の手で把持する。
【００２３】
しかる後、図４（ｂ）に示したように、一方の手で把持した表裏突出片８、９を裏側に向かって折曲げると、該表裏突出片８、９に設けた折曲用熱溶着部11、11に達するまでは、何らの抵抗を受けることなく均一に撓むが、折曲用熱溶着部11、11の下端（折曲線）111 、111 に達すると、この部分は、対向する表裏突出片８、９部分同士が接続、一体化されて剛直で腰の強い部分とされていることから、上記表裏突出片８、９は、上記折曲用熱溶着部11、11の抵抗を受けて該折曲用熱溶着部11、11の下端（折曲線）111 、111 を支点として急激に折り曲げられる。
【００２４】
一方、上記表側突出片８に形成された摘み片10は、その下端部101 のみを上記折曲用熱溶着部11の下端、即ち、折曲線111 から下方に向かって突出させた状態とされており、この下方に突出させた摘み片10の下端部101 は、該摘み片10の全長に比して上下方向の長さが比較的短く腰が強く形成されていることに加えて、その延伸方向を上下方向に指向させた延伸フィルムから形成されていることから、非常に剛直で腰の強いものに形成されている。
【００２５】
よって、上記表裏突出片８、９を上記折曲用熱溶着部11、11の折曲線111 、111 から裏側に向かって屈曲すると、上記摘み片10の下端部101 は、図４（ｂ）及び図５に示したように、上記表裏突出片８、９の裏側への屈曲に追従することなくその直状状態を維持して表側突出片８から分離、離脱し、前方に向かって起立した状態となる。
【００２６】
このように上記摘み片10の下端部101 は、上記表側突出片８から完全に離脱し起立した状態となっているので、他方の手で簡単に且つ確実に摘むことができる。
【００２７】
そして、図４（ｃ）（ｄ）及び図６に示したように、一方の手で上記表裏突出片８、９の下端部を一体的に把持した状態を維持しつつ、他方の手で摘んだ上記摘み片10を上方に向かって引っ張ると、上記表フィルム２は、上記帯状体21に沿って左右方向の中央部から二つに円滑に且つ確実に引き裂かれ、この引き裂き部分を通じて上記食品収納空間部７内に収納されたサンドイッチ（食品）Ａを取り出して食することができる。
【００２８】
なお、上記折曲用熱溶着部11は、図７に示したように、上記切り込み線81の上下方向の中央部において該切り込み線81を挟んだようにして設けられてもよく、詳細には、上記折曲用熱溶着部11、11は、上記切り込み線81の左右切り込み部811 、811 における上下方向の中央部とこれに対向する上記表裏突出片８、９の左右傾斜端縁12、12との間に亘って上記袋体６の下部熱溶着部5bに沿った状態に並設されてもよい。要するに、折曲用熱溶着部11、11の上端から左右切り込み部811 、811 の上端部を袋体６の上記下部熱溶着部5b側に向かって上方に突出させ、摘み片10の下端部のみを折曲用熱溶着部11、11間から下方に突出させた構造としておいてもよい。
【００２９】
更に、図８に示したように、上記折曲用熱溶着部11、11の外端の夫々も上記表裏突出片８、９の左右傾斜端縁12、12に達している必要はなく、具体的には、上記摘み片10を挟むようにして正面横長長方形状の折曲用熱溶着部11、11を設けたものであってもよい。
【００３０】
上述から明らかなように、上記折曲用溶着部11は、上記表裏突出片８、９を裏側に屈折させた際、折曲用熱溶着部11の折曲線111 を支点として上記表裏突出片８、９が屈折可能となるような形態に設けられていればよい。
【００３１】
【発明の効果】
請求項１に記載の食品包装用袋は、表フィルムと裏フィルムとを重ね合わせてこれらの表裏フィルムの両側端縁を熱溶着すると共に表裏フィルムの下端縁から上方に所定間隔を存した下部を全幅に亘って熱溶着することにより上端が開口した袋体を形成し、この袋体の上記下部の熱溶着部から下方に突出する表裏フィルムの突出片のうち、表側突出片に上向きコ字状又はＵ字状の切り込み線を設けてこの切り込み線で囲まれた部分を摘み片に形成してなる食品包装用袋において、上記摘み片の両側に該摘み片を挟むようにして表裏突出片を一体に接続した左右一対の折曲用熱溶着部を設けていると共に、これらの折曲用熱溶着部の内側端を上記摘み片を形成している切り込み線の左右切り込み端部に連続させた状態に設けてこれらの折曲用熱溶着部間から上記摘み片の少なくとも下端部を下方に突出させていることを特徴とするので、表裏突出片を把持して裏側に屈曲させると、これら表裏突出片は、表裏フィルムに設けた折曲用熱溶着部に達するまでは均一に且つ円滑に屈曲する一方、表側突出片に形成された摘み片は左右一対の折曲用熱溶着部間の下端から下端部を突出させており、この突出した摘み片の下端部はその上下方向の長さからして腰が強く形成されている。
【００３２】
更に、上記表裏突出片は、折曲用熱溶着部に達すると、この剛直な折曲用熱溶着部によって抵抗力を受け、従って、該上記折曲用熱溶着部の下端（折曲線）を支点として表裏突出片全体を裏側に大きく屈折させることができる。一方、腰の強い摘み片の下端部は上記表裏突出片の裏側への屈曲に追従することなく直状状態を維持し、表フィルムから円滑に且つ確実に分離して前方に向かって起立した状態となり、この起立した状態の摘み片の下端部を円滑に且つ確実に把持して上記食品包装用袋の開封作業を円滑に行い、その内部に収納した食品を取り出し食することができる。
【００３３】
さらに、請求項１に記載の食品包装用袋において、左右一対の折曲用熱溶着部を袋体の下部熱溶着部に平行な直状熱溶着部に形成していることを特徴とするので、表裏突出片を裏側に向かって屈曲させて摘み片の下端部を表側突出片から分離、起立させて把持した後、該摘み片の引っ張り方向を上記袋体の下部熱溶着部方向に円滑に且つ確実に定めることができ、食品包装用袋の開封作業を確実に行なうことができる。
【００３４】
請求項２に記載の食品包装用袋は、請求項１に記載の食品包装用袋において、摘み片を形成している切り込み線の上端部を左右一対の折曲用熱溶着部から袋体の下部熱溶着部側に向かって上方に突出させていることを特徴とするので、折曲用熱溶着部から下方に突出した摘み片の下端部を腰の強いものとして、表裏突出片を裏側に折曲げて摘み片の下端部を簡単に且つ円滑に把持した後、この摘まみ片の上方への引っ張り方向を、該摘み片のうちの上記折曲用熱溶着部から上記袋体の下部熱溶着部側に向かって上方に突出した上側部分によって誘導、規制させて、食品包装用袋の開封作業を円滑に且つ確実に行なうことができる。
【図面の簡単な説明】
【図１】  本発明の食品包装用袋を示した正面図である。
【図２】  図１の食品包装用袋を示した縦断面図である。
【図３】  図１の食品包装用袋の食品収納空間部内に食品（サンドイッチ）を収納した状態を示した斜視図である。
【図４】  図１の食品包装用袋を開封する際の要領を示した要部縦断面図である。
【図５】  図１の食品包装用袋の使用状態を示した斜視図である。
【図６】  図１の食品包装用袋の使用状態を示した斜視図である。
【図７】  食品包装用袋の表裏突出片部分の他の一例を示した正面図である。
【図８】  食品包装用袋の表裏突出片部分の他の一例を示した正面図である。
【符号の説明】
１  食品包装用袋
２  表フィルム
３  裏フィルム
5b  下端熱融着部
６  袋体
７  食品収納空間部
８  表側突出片
81  切り込み線
９  裏側突出片
10  摘み片
101 摘み片の下端部
11  折曲用熱溶着部
111 折曲用熱溶着部の下端部（折曲線）
【図１】
0004409006.tif 000002
【図２】
0004409006.tif 000003
【図３】
0004409006.tif 000004
【図４】
0004409006.tif 000005
【図５】
0004409006.tif 000006
【図６】
0004409006.tif 000007
【図７】
0004409006.tif 000008
【図８】
0004409006.tif 000009